(57)【特許請求の範囲】
【請求項１】
無線通信システムにおけるビーコン送信と関連している情報をプライマリＲＡＴ（ｒａｄｉｏ  ａｃｃｅｓｓ  ｔｅｃｈｎｏｌｏｇｙ）システムのノードによって取得する方法であって、前記方法は、
ビーコン送信と関連している第１の情報を取得することであって、前記第１の情報は、セカンダリＲＡＴシステムの各エンティティのビーコンインターバル、前記ビーコンインターバルの開始地点及び周波数チャネルに対する情報を含む、ことと、
前記取得された第１の情報に基づく前記ビーコン送信と関連している第２の情報を前記プライマリＲＡＴシステムを介してユーザ装置に送信することと
を含み、
前記セカンダリＲＡＴシステムの各エンティティの前記ビーコンインターバルの前記開始地点は、前記プライマリＲＡＴシステムのサブフレームの開始地点と整列され、
前記第２の情報は、前記セカンダリＲＡＴシステムの各エンティティの前記ビーコンインターバルの前記開始地点を含み、
前記第２の情報に含まれる前記セカンダリＲＡＴシステムの各エンティティの前記ビーコンインターバルの前記開始地点は、前記第１の情報を介して取得された前記セカンダリＲＡＴシステムの各エンティティの前記ビーコンインターバルの前記開始地点に基づいて、前記ユーザ装置がビーコンを受信することができる最も近い未来の時点として設定される、方法。
【請求項２】
前記ビーコン送信と関連している前記第１の情報は、前記セカンダリＲＡＴシステムの各エンティティの識別子をさらに含む、請求項１に記載の方法。
【請求項３】
前記ビーコン送信と関連している前記第１の情報は、ＡＰ（ａｃｃｅｓｓ  ｐｏｉｎｔ）サーバから直接取得されるか、またはゲートウェイを経由して前記ＡＰサーバから取得される、請求項１に記載の方法。
【請求項４】
前記ＡＰサーバは、ＡＮＱＰ（ａｃｃｅｓｓ  ｎｅｔｗｏｒｋ  ｑｕｅｒｙ  ｐｒｏｔｏｃｏｌ）を利用したＧＡＳ（ｇｅｎｅｒｉｃ  ａｄｖｅｒｔｉｓｅｍｅｎｔ  ｓｅｒｖｉｃｅ）を提供する装置である、請求項３に記載の方法。
【請求項５】
前記ビーコン送信と関連している前記第１の情報は、前記セカンダリＲＡＴシステムの各エンティティから取得される、請求項１に記載の方法。
【請求項６】
前記ビーコン送信と関連している前記第１の情報は、前記セカンダリＲＡＴシステムの各エンティティから送信されたビーコンを受信する別のユーザ装置から取得される、請求項１に記載の方法。
【請求項７】
前記プライマリＲＡＴシステムは、セルラシステムであり、
前記プライマリＲＡＴシステムの前記ノードは、ｅＮＢ（ｅＮｏｄｅＢ）またはＭＭＥ（ｍｏｂｉｌｉｔｙ  ｍａｎａｇｅｍｅｎｔ  ｅｎｔｉｔｙ）である、請求項１に記載の方法。
【請求項８】
前記セカンダリＲＡＴシステムは、Ｗｉ−Ｆｉシステムであり、
前記セカンダリＲＡＴシステムの各エンティティは、ＡＰである、請求項１に記載の方法。
【請求項９】
無線通信システムにおけるプライマリＲＡＴ（ｒａｄｉｏ  ａｃｃｅｓｓ  ｔｅｃｈｎｏｌｏｇｙ）システムのノードであって、前記ノードは、
メモリと、
ＲＦ（ｒａｄｉｏ  ｆｒｅｑｕｅｎｃｙ）部と、
前記メモリ及び前記ＲＦ部に作用可能に連結されたプロセッサと
を備え、
前記プロセッサは、
ビーコン送信と関連している第１の情報を取得するように前記ＲＦ部を制御することであって、前記第１の情報は、セカンダリＲＡＴシステムの各エンティティのビーコンインターバル、前記ビーコンインターバルの開始地点及び周波数チャネルに対する情報を含む、ことと、
前記取得された第１の情報に基づく前記ビーコン送信と関連している第２の情報を前記プライマリＲＡＴシステムを介してユーザ装置に送信するように前記ＲＦ部を制御することと
を実行し、
前記セカンダリＲＡＴシステムの各エンティティの前記ビーコンインターバルの前記開始地点は、前記プライマリＲＡＴシステムのサブフレームの開始地点と整列され、
前記第２の情報は、前記セカンダリＲＡＴシステムの各エンティティの前記ビーコンインターバルの前記開始地点を含み、
前記第２の情報に含まれる前記セカンダリＲＡＴシステムの各エンティティの前記ビーコンインターバルの前記開始地点は、前記第１の情報を介して取得された前記セカンダリＲＡＴシステムの各エンティティの前記ビーコンインターバルの前記開始地点に基づいて、前記ユーザ装置がビーコンを受信することができる最も近い未来の時点として設定される、ノード。
【発明の詳細な説明】
【技術分野】
【０００１】
本発明は、無線通信に関し、より詳しくは、無線通信システムにおけるビーコン送信と関連している情報を取得する方法及び装置に関する。
【背景技術】
【０００２】
最近、高速データトラフィックが増加するにつれて、これを現実的で効果的に支援できる５世代移動通信技術に対する議論が進行している。５世代移動通信技術の要求事項のうち一つとして異種無線通信システム間の連動がある。特に、セルラシステムと無線ＬＡＮ（ＷＬＡＮ；ｗｉｒｅｌｅｓｓ  ｌｏｃａｌ  ａｒｅａ  ｎｅｔｗｏｒｋ）システムとの間の連動が論議されている。セルラシステムは、３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）、３ＧＰＰ  ＬＴＥ−Ａ（ａｄｖａｎｃｅｄ）、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１６（ＷｉＭａｘ、ＷｉＢｒｏ）のうちいずれか一つである。ＷＬＡＮシステムは、ＩＥＥＥ８０２．１１（Ｗｉ−Ｆｉ）である。特に、ＷＬＡＮは、現在非常に多様な端末で一般的に利用される無線通信システムであるため、セルラ−ＷＬＡＮ連動は、優先順位が高い融合技術のうち一つである。セルラ−ＷＬＡＮ連動によるオフローディング（ｏｆｆｌｏａｄｉｎｇ）を介して、セルラシステムのカバレッジと容量が増加できる。
【０００３】
ユビキタス（ｕｂｉｑｕｉｔｏｕｓ）環境の到来によっていつでもどこでもシームレスサービスに対する要求が急激に増加した。５世代移動通信システムは、いつでも容易にアクセスでき、及びどこでも効率的な性能を維持するために複数の無線アクセス技術（ＲＡＴ；ｒａｄｉｏ  ａｃｃｅｓｓ  ｔｅｃｈｎｏｌｏｇｙ）を導入することができる。即ち、５世代移動通信システムは、異種無線通信システム間の連動を介して複数のＲＡＴを融合して使用することができる。５世代移動通信システムを構成する複数のＲＡＴの各エンティティは、互いに情報を交換することができ、それによって、５世代移動通信システム内のユーザに最適の通信システムを提供することができる。５世代移動通信システムを構成する複数のＲＡＴのうち、特定ＲＡＴはプライマリ（ｐｒｉｍａｒｙ）ＲＡＴシステムとして動作でき、他の特定ＲＡＴは、セカンダリ（ｓｅｃｏｎｄａｒｙ）ＲＡＴシステムとして動作できる。即ち、プライマリＲＡＴシステムが５世代移動通信システム内のユーザに主に通信システムを提供する役割をし、セカンダリＲＡＴシステムは、プライマリＲＡＴシステムを補助する役割をすることができる。一般的に、カバレッジが比較的広い３ＧＰＰ  ＬＴＥ（−Ａ）またはＩＥＥＥ８０２．１６などのセルラシステムがプライマリＲＡＴシステムであり、カバレッジが比較的狭いＷｉ−ＦｉシステムがセカンダリＲＡＴシステムである。
【０００４】
複数のＲＡＴで構成される５世代移動通信システムにおいて、プライマリＲＡＴシステムは、自分のカバレッジ内で動作するセカンダリＲＡＴシステムのエンティティを把握する必要がある。例えば、プライマリＲＡＴシステムがセルラシステムであり、セカンダリＲＡＴシステムがＷｉ−Ｆｉシステムである場合、ｅＮＢ（ｅｖｏｌｖｅｄ  ＮｏｄｅＢ）、ＭＭＥ（ｍｏｂｉｌｉｔｙ  ｍａｎａｇｅｍｅｎｔ  ｅｎｔｉｔｙ）または新しいセルラエンティティなどのセルラノードは、自分のカバレッジ内でどのＡＰ（ａｃｃｅｓｓ  ｐｏｉｎｔ）が動作しているかを把握する必要がある。プライマリＲＡＴシステムは、多様な方法を介して自分のカバレッジ内で動作するセカンダリＲＡＴシステムエンティティに対する情報を取得することができる。
【０００５】
プライマリＲＡＴシステムが自分のカバレッジ内で動作するセカンダリＲＡＴシステムエンティティに対する情報を効率的に取得し、該当情報を端末（ＵＥ；ｕｓｅｒ  ｅｑｕｉｐｍｅｎｔ）などの一般装置に提供して最適の通信システムを構成するための方法が要求される。
【発明の概要】
【発明が解決しようとする課題】
【０００６】
本発明は、無線通信システムにおけるビーコン関連情報を取得する方法及び装置を提供する。本発明は、セルラシステムとＷｉ−Ｆｉシステムが融合された通信システムにおいて、プライマリＲＡＴシステムエンティティがセカンダリＲＡＴシステムエンティティのビーコン送信と関連している情報を取得する方法を提供する。また、本発明は、セルラシステムとＷｉ−Ｆｉシステムが融合された通信システムにおいて、プライマリＲＡＴシステムエンティティがセカンダリＲＡＴシステムエンティティのビーコン送信と関連している情報を取得し、端末などの一般装置のセカンダリＲＡＴシステムアクセス手順を最適化する方法を提供する。
【課題を解決するための手段】
【０００７】
一態様において、無線通信システムにおけるプライマリ（ｐｒｉｍａｒｙ）ＲＡＴ（ｒａｄｉｏ  ａｃｃｅｓｓ  ｔｅｃｈｎｏｌｏｇｙ）システムのノードによるビーコン（ｂｅａｃｏｎ）送信と関連している情報を取得する方法が提供される。前記方法は、セカンダリ（ｓｅｃｏｎｄａｒｙ）ＲＡＴシステムの各エンティティのビーコンインターバル（ｂｅａｃｏｎ  ｉｎｔｅｒｖａｌ）の開始地点に対する情報を含むビーコン送信と関連している第１の情報を取得し、前記取得したビーコン送信と関連している第１の情報に基づくビーコン送信と関連している第２の情報を前記プライマリＲＡＴシステムを介して一般装置に送信することを含む。
【０００８】
前記ビーコン送信と関連している第１の情報は、前記セカンダリＲＡＴシステムの各エンティティの周波数チャネル、動作クラス（ｏｐｅｒａｔｉｎｇ  ｃｌａｓｓ）、チャネル番号及び前記ビーコンインターバルをさらに含む。
【０００９】
前記ビーコン送信と関連している第１の情報は、前記セカンダリＲＡＴシステムの各エンティティの識別子をさらに含む。
【００１０】
前記ビーコン送信と関連している第１の情報は、ＡＰ（ａｃｃｅｓｓ  ｐｏｉｎｔ）サーバから直接取得され、またはゲートウェイを経由して前記ＡＰサーバから取得される。
【００１１】
前記ＡＰサーバは、ＡＮＱＰ（ａｃｃｅｓｓ  ｎｅｔｗｏｒｋ  ｑｕｅｒｙ  ｐｒｏｔｏｃｏｌ）を利用したＧＡＳ（ｇｅｎｅｒｉｃ  ａｄｖｅｒｔｉｓｅｍｅｎｔ  ｓｅｒｖｉｃｅ）を提供する装置である。
【００１２】
前記ビーコン送信と関連している第１の情報は、前記セカンダリＲＡＴシステムの各エンティティから取得される。
【００１３】
前記ビーコン送信と関連している第１の情報は、前記セカンダリＲＡＴシステムの各エンティティから送信されたビーコンを受信する一般装置から取得される。
【００１４】
前記プライマリＲＡＴシステムは、セルラシステムであり、前記プライマリＲＡＴシステムのノードは、ｅＮＢ（ｅｖｏｌｖｅｄ  ＮｏｄｅＢ）、ＭＭＥ（ｍｏｂｉｌｉｔｙ  ｍａｎａｇｅｍｅｎｔ  ｅｎｔｉｔｙ）または前記セルラシステムの新しいエンティティのうちいずれか一つである。
【００１５】
前記セカンダリＲＡＴシステムは、Ｗｉ−Ｆｉシステムであり、前記セカンダリＲＡＴシステムの各エンティティは、ＡＰである。
【００１６】
前記ビーコン送信と関連している第２の情報は、前記一般装置がビーコンを受信することができる最も近い未来の時点として設定された前記セカンダリＲＡＴシステムの各エンティティのビーコンインターバルの開始地点に対する情報を含む。
【００１７】
他の態様において、無線通信システムにおけるセカンダリ（ｓｅｃｏｎｄａｒｙ）ＲＡＴ（ｒａｄｉｏ  ａｃｃｅｓｓ  ｔｅｃｈｎｏｌｏｇｙ）システムのエンティティによるビーコン（ｂｅａｃｏｎ）送信と関連している情報を送信する方法が提供される。前記方法は、前記セカンダリＲＡＴシステムの各エンティティの周波数チャネル、動作クラス（ｏｐｅｒａｔｉｎｇ  ｃｌａｓｓ）、チャネル番号、ビーコンインターバル（ｂｅａｃｏｎ  ｉｎｔｅｒｖａｌ）及び前記ビーコンインターバル（ｂｅａｃｏｎ  ｉｎｔｅｒｖａｌ）の開始地点に対する情報を含むビーコン送信と関連している情報を送信することを含む。
【００１８】
前記ビーコンインターバルの開始地点は、前記セカンダリＲＡＴシステムのタイミング値で表現され、前記セカンダリＲＡＴシステムのタイミング値は、プライマリ（ｐｒｉｍａｒｙ）ＲＡＴシステムのタイミング変換値及びオフセットに基づいて決定される。
【００１９】
前記プライマリＲＡＴシステムのタイミング変換値及びオフセットは、一般装置から取得される。
【００２０】
前記プライマリＲＡＴシステムのタイミング変換値及びオフセットは、前記プライマリＲＡＴシステムのブロードキャストチャネルを介して取得される。
【００２１】
前記ビーコン送信と関連している情報は、ＡＰ（ａｃｃｅｓｓ  ｐｏｉｎｔ）サーバまたは前記プライマリＲＡＴシステムのノードに送信される。
本明細書は、例えば、以下の項目も提供する。
（項目１）
無線通信システムにおけるプライマリ（ｐｒｉｍａｒｙ）ＲＡＴ（ｒａｄｉｏ  ａｃｃｅｓｓ  ｔｅｃｈｎｏｌｏｇｙ）システムのノードによるビーコン（ｂｅａｃｏｎ）送信と関連している情報を取得する方法において、
セカンダリ（ｓｅｃｏｎｄａｒｙ）ＲＡＴシステムの各エンティティのビーコンインターバル（ｂｅａｃｏｎ  ｉｎｔｅｒｖａｌ）の開始地点に対する情報を含むビーコン送信と関連している第１の情報を取得し、
前記取得したビーコン送信と関連している第１の情報に基づくビーコン送信と関連している第２の情報を前記プライマリＲＡＴシステムを介して一般装置に送信することを含む方法。
（項目２）
前記ビーコン送信と関連している第１の情報は、前記セカンダリＲＡＴシステムの各エンティティの周波数チャネル、動作クラス（ｏｐｅｒａｔｉｎｇ  ｃｌａｓｓ）、チャネル番号及び前記ビーコンインターバルをさらに含むことを特徴とする項目１に記載の方法。
（項目３）
前記ビーコン送信と関連している第１の情報は、前記セカンダリＲＡＴシステムの各エンティティの識別子をさらに含むことを特徴とする項目１に記載の方法。
（項目４）
前記ビーコン送信と関連している第１の情報は、ＡＰ（ａｃｃｅｓｓ  ｐｏｉｎｔ）サーバから直接取得され、またはゲートウェイを経由して前記ＡＰサーバから取得されることを特徴とする項目１に記載の方法。
（項目５）
前記ＡＰサーバは、ＡＮＱＰ（ａｃｃｅｓｓ  ｎｅｔｗｏｒｋ  ｑｕｅｒｙ  ｐｒｏｔｏｃｏｌ）を利用したＧＡＳ（ｇｅｎｅｒｉｃ  ａｄｖｅｒｔｉｓｅｍｅｎｔ  ｓｅｒｖｉｃｅ）を提供する装置であることを特徴とする項目４に記載の方法。
（項目６）
前記ビーコン送信と関連している第１の情報は、前記セカンダリＲＡＴシステムの各エンティティから取得されることを特徴とする項目１に記載の方法。
（項目７）
前記ビーコン送信と関連している第１の情報は、前記セカンダリＲＡＴシステムの各エンティティから送信されたビーコンを受信する一般装置から取得されることを特徴とする項目１に記載の方法。
（項目８）
前記プライマリＲＡＴシステムは、セルラシステムであり、前記プライマリＲＡＴシステムのノードは、ｅＮＢ（ｅｖｏｌｖｅｄ  ＮｏｄｅＢ）、ＭＭＥ（ｍｏｂｉｌｉｔｙ  ｍａｎａｇｅｍｅｎｔ  ｅｎｔｉｔｙ）または前記セルラシステムの新しいエンティティのうちいずれか一つであることを特徴とする項目１に記載の方法。
（項目９）
前記セカンダリＲＡＴシステムは、Ｗｉ−Ｆｉシステムであり、前記セカンダリＲＡＴシステムの各エンティティは、ＡＰであることを特徴とする項目１に記載の方法。
（項目１０）
前記ビーコン送信と関連している第２の情報は、前記一般装置がビーコンを受信することができる最も近い未来の時点として設定された前記セカンダリＲＡＴシステムの各エンティティのビーコンインターバルの開始地点に対する情報を含むことを特徴とする項目１に記載の方法。
（項目１１）
無線通信システムにおけるセカンダリ（ｓｅｃｏｎｄａｒｙ）ＲＡＴ（ｒａｄｉｏ  ａｃｃｅｓｓ  ｔｅｃｈｎｏｌｏｇｙ）システムのエンティティによるビーコン（ｂｅａｃｏｎ）送信と関連している情報を送信する方法において、
前記セカンダリＲＡＴシステムの各エンティティの周波数チャネル、動作クラス（ｏｐｅｒａｔｉｎｇ  ｃｌａｓｓ）、チャネル番号、ビーコンインターバル（ｂｅａｃｏｎ  ｉｎｔｅｒｖａｌ）及び前記ビーコンインターバル（ｂｅａｃｏｎ  ｉｎｔｅｒｖａｌ）の開始地点に対する情報を含むビーコン送信と関連している情報を送信することを含む方法。
（項目１２）
前記ビーコンインターバルの開始地点は、前記セカンダリＲＡＴシステムのタイミング値で表現され、前記セカンダリＲＡＴシステムのタイミング値は、プライマリ（ｐｒｉｍａｒｙ）ＲＡＴシステムのタイミング変換値及びオフセットに基づいて決定されることを特徴とする項目１１に記載の方法。
（項目１３）
前記プライマリＲＡＴシステムのタイミング変換値及びオフセットは、一般装置から取得されることを特徴とする項目１２に記載の方法。
（項目１４）
前記プライマリＲＡＴシステムのタイミング変換値及びオフセットは、前記プライマリＲＡＴシステムのブロードキャストチャネルを介して取得されることを特徴とする項目１２に記載の方法。
（項目１５）
前記ビーコン送信と関連している情報は、ＡＰ（ａｃｃｅｓｓ  ｐｏｉｎｔ）サーバまたは前記プライマリＲＡＴシステムのノードに送信されることを特徴とする項目１１に記載の方法。
【発明の効果】
【００２２】
セルラシステムとＷｉ−Ｆｉシステムが融合された通信システムにおいて、端末などの一般装置のＷｉ−Ｆｉシステムに対するアクセスが最適化されることができる。
【図面の簡単な説明】
【００２３】
【図１】セルラシステムを示す。
【図２】３ＧＰＰ  ＬＴＥにおける無線フレームの構造を示す。
【図３】無線ＬＡＮ（ＷＬＡＮ；ｗｉｒｅｌｅｓｓ  ｌｏｃａｌ  ａｒｅａ  ｎｅｔｗｏｒｋ）システムを示す。
【図４】セルラシステムとＷｉ−Ｆｉシステムが融合された通信システムのシナリオの一例を示す。
【図５】ビジーネットワーク上でビーコン送信の一例を示す。
【図６】本発明の一実施例に係るビーコンインターバルの開始地点を取得する方法の一例を示す。
【図７】本発明の他の実施例に係るビーコンインターバルの開始地点を取得する方法の一例を示す。
【図８】本発明の一実施例に係るビーコン送信関連情報を取得する方法の一例を示す。
【図９】本発明の他の実施例に係るビーコンインターバルの開始地点を取得する方法の一例を示す。
【図１０】本発明の他の実施例に係るビーコンインターバルの開始地点を取得する方法の一例を示す。
【図１１】本発明の他の実施例に係るビーコン送信関連情報を取得する方法の一例を示す。
【図１２】本発明の一実施例に係るビーコン送信関連情報を送信する方法の一例を示す。
【図１３】既存の方法によって一般装置がスキャニングを実行する時のスキャニング区間を示す。
【図１４】本発明の一実施例によって一般装置がスキャニングを実行する時のスキャニング区間を示す。
【図１５】本発明の実施例が具現される無線通信システムのブロック図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎ  ｓｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンク（ＤＬ；ｄｏｗｎｌｉｎｋ）でＯＦＤＭＡを採用し、アップリンク（ＵＬ；ｕｐｌｉｎｋ）でＳＣ−ＦＤＭＡを採用する。ＬＴＥ−Ａ（ａｄｖａｎｃｅｄ）は、３ＧＰＰ  ＬＴＥの進化である。
【００２５】
説明を明確にするために、３ＧＰＰ  ＬＴＥ（−Ａ）及びＩＥＥＥ８０２．１１を中心に記述するが、本発明の技術的思想がこれに制限されるものではない。
【００２６】
図１は、セルラシステムを示す。
【００２７】
図１を参照すると、セルラシステム１０は、少なくとも一つの基地局（ｂａｓｅ  ｓｔａｔｉｏｎ、ＢＳ）１１を含む。各ＢＳ１１は、各地理的領域（一般的にセルという）１５ａ、１５ｂ、１５ｃに通信サービスを提供する。各セルは、複数の領域（セクターという）に分けられる。端末（ｕｓｅｒ  ｅｑｕｉｐｍｅｎｔ、ＵＥ）１２は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。ＢＳ１１は、一般的にＵＥ１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。
【００２８】
ＵＥは、通常的に一つのセルに属し、ＵＥが属するセルをサービングセル（ｓｅｒｖｉｎｇ  ｃｅｌｌ）という。サービングセルに対して通信サービスを提供するＢＳをサービングＢＳ（ｓｅｒｖｉｎｇ  ＢＳ）という。無線通信システムは、セルラシステムであるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するＢＳを隣接ＢＳ（ｎｅｉｇｈｂｏｒ  ＢＳ）という。サービングセル及び隣接セルは、ＵＥを基準に相対的に決定される。
【００２９】
この技術は、ＤＬまたはＵＬに使われることができる。一般的に、ＤＬはＢＳ１１からＵＥ１２への通信を意味し、ＵＬはＵＥ１２からＢＳ１１への通信を意味する。ＤＬにおいて、送信機はＢＳ１１の一部分であり、受信機はＵＥ１２の一部分である。ＵＬにおいて、送信機はＵＥ１２の一部分であり、受信機はＢＳ１１の一部分である。
【００３０】
図２は、３ＧＰＰ  ＬＴＥにおける無線フレームの構造を示す。これは３ＧＰＰ（３ｒｄ  ｇｅｎｅｒａｔｉｏｎ  ｐａｒｔｎｅｒｓｈｉｐ  ｐｒｏｊｅｃｔ）  ＴＳ  ３６．２１１  Ｖ８．２．０（２００８−０３）の４節を参照することができる。
【００３１】
図２を参照すると、無線フレームは１０個のサブフレームで構成され、一つのサブフレームは２個のスロット（ｓｌｏｔ）で構成される。無線フレーム内のスロットは＃０から＃１９までのスロット番号が付けられる。ＴＴＩ（ｔｒａｎｓｍｉｓｓｉｏｎ  ｔｉｍｅ  ｉｎｔｅｒｖａｌ）は、データ送信のための基本スケジューリング単位である。３ＧＰＰ  ＬＴＥにおいて、一つのＴＴＩは、一つのサブフレームの送信にかかる時間と同じである。一つの無線フレームの長さは１０ｍｓであり、一つのサブフレームの長さは１ｍｓであり、一つのスロットの長さは０．５ｍｓである。
【００３２】
一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の副搬送波を含む。３ＧＰＰ  ＬＴＥがＤＬでＯＦＤＭＡを使用するため、ＯＦＤＭシンボルはシンボル区間（ｓｙｍｂｏｌ  ｐｅｒｉｏｄ）を表現するために使われる。ＯＦＤＭシンボルは、多重アクセス方式によって他の名称で呼ばれることもある。例えば、ＵＬ多重アクセス方式にＳＣ−ＦＤＭＡが使われる場合、ＯＦＤＭシンボルは、ＳＣ−ＦＤＭＡシンボルとも呼ばれる。リソースブロック（ＲＢ；ｒｅｓｏｕｒｃｅ  ｂｌｏｃｋ）は、リソース割当単位であり、一つのスロットで複数の連続する副搬送波を含む。前記無線フレームの構造は、一例にすぎない。したがって、無線フレームに含まれるサブフレームの個数やサブフレームに含まれるスロットの個数、またはスロットに含まれるＯＦＤＭシンボルの個数は、多様に変更されることができる。
【００３３】
３ＧＰＰ  ＬＴＥは、ノーマル（ｎｏｒｍａｌ）ＣＰ（ｃｙｃｌｉｃ  ｐｒｅｆｉｘ）で、一つのスロットは７個のＯＦＤＭシンボルを含み、拡張（ｅｘｔｅｎｄｅｄ）ＣＰで、一つのスロットは６個のＯＦＤＭシンボルを含むと定義している。
【００３４】
図３は、無線ＬＡＮ（ＷＬＡＮ；ｗｉｒｅｌｅｓｓ  ｌｏｃａｌ  ａｒｅａ  ｎｅｔｗｏｒｋ）システムを示す。
【００３５】
ＷＬＡＮシステムは、Ｗｉ−Ｆｉシステムとも呼ばれる。図３を参照すると、ＷＬＡＮシステムは、一つのＡＰ（ａｃｃｅｓｓ  ｐｏｉｎｔ）２０及び複数のステーション（ＳＴＡ；ｓｔａｔｉｏｎ）３１、３２、３３、３４、４０を含む。ＡＰ２０は、各ＳＴＡ３１、３２、３３、３４、４０と各々連結されて通信することができる。ＷＬＡＮシステムは、一つまたはそれ以上の基本サービスセット（ＢＳＳ；ｂａｓｉｃ  ｓｅｒｖｉｃｅ  ｓｅｔ）を含む。ＢＳＳは、成功的に同期化を行って互いに通信できるＳＴＡのセットであり、特定領域を示す概念ではない。
【００３６】
インフラストラクチャ（ｉｎｆｒａｓｔｒｕｃｔｕｒｅ）ＢＳＳは、一つまたはそれ以上の非ＡＰステーション（ｎｏｎ−ＡＰ  ＳＴＡ）、分散サービス（ＤＳ；ｄｉｓｔｒｉｂｕｔｉｏｎ  ｓｅｒｖｉｃｅ）を提供するＡＰ（ａｃｃｅｓｓ  ｐｏｉｎｔ）及び多数のＡＰを連結させる分散システムを含む。インフラストラクチャＢＳＳでは、ＡＰがＢＳＳの非ＡＰ  ＳＴＡを管理する。したがって、図３のＷＬＡＮシステムは、インフラストラクチャＢＳＳを含むということができる。それに対し、独立ＢＳＳ（ＩＢＳＳ；ｉｎｄｅｐｅｎｄｅｎｔ  ＢＳＳ）は、アドホック（ａｄ−ｈｏｃ）モードに動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳでは非ＡＰ  ＳＴＡが分散された方式（ｄｉｓｔｒｉｂｕｔｅｄ  ｍａｎｎｅｒ）に管理される。ＩＢＳＳでは全てのＳＴＡが移動ＳＴＡからなることができ、分散システムへのアクセスが許容されなくて自己完備的ネットワーク（ｓｅｌｆ−ｃｏｎｔａｉｎｅｄ  ｎｅｔｗｏｒｋ）を構築する。
【００３７】
ＳＴＡは、ＩＥＥＥ８０２．１１標準の規定に従うＭＡＣ（ｍｅｄｉａ  ａｃｃｅｓｓ  ｃｏｎｔｒｏｌ）と無線媒体に対する物理階層（ｐｈｙｓｉｃａｌ  ｌａｙｅｒ）インターフェースを含む任意の機能媒体であって、より広い意味でＡＰと非ＡＰステーションを両方とも含む。
【００３８】
非ＡＰ  ＳＴＡは、ＡＰでないＳＴＡであり、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（ＷＴＲＵ；ｗｉｒｅｌｅｓｓ  ｔｒａｎｓｍｉｔ／ｒｅｃｅｉｖｅ  ｕｎｉｔ）、ユーザ装備（ＵＥ；ｕｓｅｒ  ｅｑｕｉｐｍｅｎｔ）、移動局（ＭＳ；ｍｏｂｉｌｅ  ｓｔａｔｉｏｎ）、移動加入者ユニット（ｍｏｂｉｌｅ  ｓｕｂｓｃｒｉｂｅｒ  ｕｎｉｔ）または単にユーザ（ｕｓｅｒ）などの他の名称で呼ばれることもある。以下、説明の便宜のために非ＡＰ  ＳＴＡをＳＴＡという。
【００３９】
ＡＰは、該当ＡＰに結合された（ａｓｓｏｃｉａｔｅｄ）ＳＴＡのために無線媒体を介して分散システムに対するアクセスを提供する機能エンティティである。ＡＰを含むインフラストラクチャＢＳＳにおいて、ＳＴＡ間の通信は、ＡＰを介して行われることが原則であるが、直接リンク（ｄｉｒｅｃｔ  ｌｉｎｋ）が設定された場合はＳＴＡ間でも直接通信が可能である。ＡＰは、集中制御器（ｃｅｎｔｒａｌ  ｃｏｎｔｒｏｌｌｅｒ）、基地局（ＢＳ；ｂａｓｅ  ｓｔａｔｉｏｎ）、ＮｏｄｅＢ、ＢＴＳ（ｂａｓｅ  ｔｒａｎｓｃｅｉｖｅｒ  ｓｙｓｔｅｍ）、またはサイト制御器などとも呼ばれる。
【００４０】
複数のインフラストラクチャＢＳＳは、分散システムを介して相互連結されることができる。分散システムを介して連結された複数のＢＳＳを拡張サービスセット（ＥＳＳ；ｅｘｔｅｎｄｅｄ  ｓｅｒｖｉｃｅ  ｓｅｔ）という。ＥＳＳに含まれるＡＰ及び／またはＳＴＡは、互いに通信することができ、同じＥＳＳで、ＳＴＡは、シームレス通信しながら、一つのＢＳＳから他のＢＳＳに移動できる。
【００４１】
図４は、セルラシステムとＷｉ−Ｆｉシステムが融合された通信システムのシナリオの一例を示す。
【００４２】
図４において、セルラシステムは、融合通信システムのプライマリＲＡＴシステムとして動作し、Ｗｉ−Ｆｉシステムは、融合通信システムのセカンダリＲＡＴシステムとして動作すると仮定する。また、図４のセルラシステムは、３ＧＰＰ  ＬＴＥ（−Ａ）である。以下の説明では、便宜上、融合通信システムのプライマリＲＡＴシステムは、３ＧＰＰ  ＬＴＥ（−Ａ）、セカンダリＲＡＴシステムは、ＩＥＥＥ８０２．１１、即ち、Ｗｉ−Ｆｉシステムであると仮定する。しかし、以下で説明する本発明の実施例は、これに制限されるものではない。
【００４３】
図４を参照すると、セルラ基地局５０のカバレッジ内に複数の一般装置６１、６２、６３、６４、６５が存在する。各一般装置６１、６２、６３、６４、６５は、セルラシステムの端末である。セルラ基地局５０は、セルラ無線インターフェースを介して各一般装置６１、６２、６３、６４、６５と通信することができる。例えば、セルラ基地局５０は、各一般装置６１、６２、６３、６４、６５と音声電話通信を実行し、または各一般装置６１、６２、６３、６４、６５のＷｉ−Ｆｉシステムに対するアクセスを制御することができる。
【００４４】
セルラ基地局５０は、セルラシステムインターフェースを介してＳ−ＧＷ（ｓｅｒｖｉｎｇ  ｇａｔｅｗａｙ）／ＭＭＥ（ｍｏｂｉｌｉｔｙ  ｍａｎａｇｅｍｅｎｔ  ｅｎｔｉｔｙ）７０と接続される。ＭＭＥは、端末のアクセス情報や端末の能力に対する情報を有しており、このような情報は、端末の移動性管理に主に使われることができる。ＭＭＥは、制御平面の機能を担当する。Ｓ−ＧＷは、Ｅ−ＵＴＲＡＮを終端点として有するゲートウェイである。Ｓ−ＧＷは、ユーザ平面の機能を担当する。また、Ｓ−ＧＷ／ＭＭＥ７０は、セルラシステムインターフェースを介してＰ−ＧＷ（ＰＤＮ（ｐａｃｋｅｔ  ｄａｔａ  ｎｅｔｗｏｒｋ）  ｇａｔｅｗａｙ）７１及びホーム加入者サーバ（ＨＳＳ；ｈｏｍｅ  ｓｕｂｓｃｒｉｂｅｒ  ｓｅｒｖｅ）７２と接続される。ＰＤＮ−ＧＷは、ＰＤＮを終端点として有するゲートウェイである。
【００４５】
また、Ｐ−ＧＷ７１及びＨＳＳ７２は、セルラシステムインターフェースを介して３ＧＰＰ  ＡＡＡ（ａｃｃｅｓｓ  ａｕｔｈｅｎｔｉｃａｔｉｏｎ  ａｕｔｈｏｒｉｚａｔｉｏｎ）サーバ７３と接続される。Ｐ−ＧＷ７１及び３ＧＰＰ  ＡＡＡサーバ７３は、セルラシステムインターフェースを介してｅ−ＰＤＧ（ｅｖｏｌｖｅｄ  ｐａｃｋｅｔ  ｄａｔａ  ｇａｔｅｗａｙ）７４と接続されることができる。ｅ−ＰＤＧ７４は、信頼されない非３ＧＰＰアクセスでのみ含まれることができる。ｅ−ＰＤＧ７４は、ＷＡＧ（ＷＬＡＮ  ａｃｃｅｓｓ  ｇａｔｅｗａｙ）７５と接続されることができる。ＷＡＧ７５は、Ｗｉ−ＦｉシステムでＰ−ＧＷの役割を担当することができる。
【００４６】
一方、セルラ基地局５０のカバレッジ内に複数のＡＰ８１、８２、８３が存在する。各ＡＰ８１、８２、８３は、各々、セルラ基地局５０のカバレッジより小さいカバレッジを有することができる。各ＡＰ８１、８２、８３は、Ｗｉ−Ｆｉ無線インターフェースを介して自分のカバレッジ内にある一般装置６１、６２、６３と通信できる。即ち、一般装置６１、６２、６３は、セルラ基地局５０及び／またはＡＰ８１、８２、８３と通信できる。一般装置６１、６２、６３の通信方法は、下記の通りである。
【００４７】
１）セルラ／Ｗｉ−Ｆｉ同時無線送信：一般装置６１は、セルラ無線インターフェースを介してセルラ基地局５０と通信する同時に、Ｗｉ−Ｆｉ無線インターフェースを介してＡＰ８１と高速データ通信を実行することができる。
【００４８】
２）セルラ／Ｗｉ−Ｆｉユーザ平面自動転換：一般装置６２は、ユーザ平面自動転換によりセルラ基地局５０またはＡＰ８２のうちいずれか一つと通信できる。このとき、制御平面は、セルラシステムとＷｉ−Ｆｉシステムの両方ともに存在し、またはセルラシステムにのみ存在できる。
【００４９】
３）端末協力送信：ソース装置として動作する一般装置６４は、セルラ無線インターフェースを介してセルラ基地局５０と直接的に通信し、または協力装置として動作する一般装置６５を介してセルラ基地局５０と間接的に通信できる。即ち、協力装置６５は、ソース装置６４が自分を介して間接的にセルラ基地局５０と通信できるようにソース装置６４を支援することができる。ソース装置６４と協力装置６５は、Ｗｉ−Ｆｉ無線インターフェースを介して通信する。
【００５０】
４）Ｗｉ−Ｆｉベースのセルラリンク制御メカニズム：ＡＰ８３は、セルラ一般装置６３に対してネットワークのページングまたは位置登録などのセルラリンク制御メカニズムを実行することができる。一般装置６３は、セルラ基地局５０と直接接続されず、ＡＰ８３を介して間接的にセルラ基地局５０と通信できる。
【００５１】
各ＡＰ８１、８２、８３は、Ｗｉ−Ｆｉシステムインターフェースを介してＷＡＧ７５と接続される。
【００５２】
ＩＥＥＥ８０２．１１のビーコン（ｂｅａｃｏｎ）に対して説明する。ビーコン要求／報告対（ｐａｉｒ）は、ＳＴＡが特定チャネル上に受信することができるビーコンを有するＡＰのリストを他のＳＴＡから要求することができるようにする。このような測定は、能動モード（ａｃｔｉｖｅ  ｍｏｄｅ）、受動モード（ｐａｓｓｉｖｅ  ｍｏｄｅ）またはビーコンテーブルモード（ｂｅａｃｏｎ  ｔａｂｌｅ  ｍｏｄｅ）で実行されることができる。受動モードで測定要求が受諾された場合、区間タイマ（ｄｕｒａｔｉｏｎ  ｔｉｍｅｒ）が設定される。そして、測定するＳＴＡは、要求されたチャネルをモニタリングし、ビーコン、プローブ応答（ｐｒｏｂｅ  ｒｅｓｐｏｎｓｅ）及び測定パイロットパワーレベル（受信したチャネルパワー指示子（ＲＣＰＩ；ｒｅｃｅｉｖｅｄ  ｃｈａｎｎｅｌ  ｐｏｗｅｒ  ｉｎｄｉｃａｔｏｒ））を測定し、測定区間内で受信された全てのビーコン、プローブ応答及び測定パイロットパワーレベルを記録する。能動モードで測定要求が実行された場合、測定するＳＴＡは、測定区間の初めで要求されたチャネル上にプローブ要求（ｐｒｏｂｅ  ｒｅｑｕｅｓｔ）を送信する。そして、要求されたチャネルをモニタリングし、ビーコン、プローブ応答及び測定パイロットパワーレベル（ＲＣＰＩ）を測定し、測定区間内で受信された全てのビーコン、プローブ応答及び測定パイロットパワーレベルを記録する。ビーコンテーブルモードで測定要求が実行された場合、測定ＳＴＡは、追加的な測定を実行せずに、要求されたＳＳＩＤ（ｓｅｒｖｉｃｅ  ｓｅｔ  ｉｄｅｎｔｉｆｉｅｒ）及びＢＳＳＩＤ（ｂａｓｉｃ  ｓｅｒｖｉｃｅ  ｓｅｔ  ｉｄｅｎｔｉｆｉｅｒ）と共にサポートされるあるチャネルのために格納されたビーコン情報を含むビーコン報告を返還する。
【００５３】
図５は、ビジーネットワーク上でビーコン送信の一例を示す。
【００５４】
インフラストラクチャＢＳＳにおけるビーコンの生成に対して説明する。ＡＰは、ｄｏｔ１１ＢｅａｃｏｎＰｅｒｉｏｄによってビーコンフレームを送信することによって、全体ＢＳＳのためのタイミングを定義することができる。これは正確にｄｏｔ１１ＢｅａｃｏｎＰｅｒｉｏｄＴＵほど離れた一連のＴＢＴＴ（ｔａｒｇｅｔ  ｂｅａｃｏｎ  ｔｒａｎｓｍｉｓｓｉｏｎ  ｔｉｍｅ）を定義する。ＴＢＴＴは、ビーコンインターバル（ｂｅａｃｏｎ  ｉｎｔｅｒｖａｌ）とも呼ばれる。ビーコンインターバルは、ＡＰにより確立される。時間０は、ビーコンフレームがＤＴＩＭ（ｄｅｌｉｖｅｒｙ  ｔｒａｆｆｉｃ  ｉｎｄｉｃａｔｉｏｎ  ｍｅｓｓａｇｅ）になるＴＢＴＴに定義される。各ＴＢＴＴで、ＡＰは、媒体アクセス規則によってビーコンフレームを次に送信されるフレームとしてスケジューリングすることができる。ビーコン周期は、ビーコンフレーム及びプローブ応答フレームに含まれ、ＳＴＡは、ＢＳＳにジョインする時、該当ビーコン周期を適用することができる。即ち、ＳＴＡは、ｄｏｔ１１ＢｅａｃｏｎＰｅｒｉｏｄ変数を該当ビーコン周期に設定する。
【００５５】
ビーコンフレームの送信がＣＳＭＡ（ｃａｒｒｉｅｒ  ｓｅｎｓｅ  ｍｕｌｔｉｐｌｅ  ａｃｃｅｓｓ）延期（ｄｅｆｅｒｒａｌ）により遅延されても、後続のビーコンフレームは、遅延されない名目（ｎｏｍｉｎａｌ）ビーコンインターバルでスケジューリングされる。
【００５６】
以下、本発明の実施例によって、セルラシステムとＷｉ−Ｆｉシステムが融合された通信システムにおいて、セルラネットワークがインフラストラクチャＢＳＳに含まれているＷｉ−Ｆｉシステムエンティティのビーコン送信を受動的に制御する方法を説明する。セルラシステムは、融合通信システムでプライマリＲＡＴシステムであり、Ｗｉ−Ｆｉシステムは、融合通信システムでセカンダリＲＡＴシステムである。セルラシステムは、自分のカバレッジ内にどのＷｉ−Ｆｉシステムエンティティが動作しているかを把握する必要がある。それによって、Ｗｉ−Ｆｉシステムエンティティは、管理サーバまたはセルラノード（例えば、ｅＮＢまたはＭＭＥ）などの管理装置に自分の情報を提供することができる。特に、一般装置の不要なＷｉ−Ｆｉシステムアクセス時間及び電力消耗を改善するために、セルラシステムは、Ｗｉ−Ｆｉシステムのビーコンと関連している情報を管理する必要がある。Ｗｉ−Ｆｉシステムエンティティは、自分のビーコン送信と関連している情報を管理装置に送信することができる。ビーコン送信と関連している情報は、周波数チャネル、動作クラス（ｏｐｅｒａｔｉｎｇ  ｃｌａｓｓ）、チャネル番号及びビーコンインターバルなどを含むことができる。セルラシステムは、取得したＷｉ−Ｆｉシステムエンティティのビーコン送信と関連している情報を端末などの一般装置に知らせることによって、一般装置のＷｉ−Ｆｉシステムに対するアクセス手順を最適化することができる。
【００５７】
以下の説明で、プライマリＲＡＴシステムはセルラシステムのうち３ＧＰＰ  ＬＴＥ（−Ａ）であり、セカンダリＲＡＴシステムはＷｉ−Ｆｉシステムであると仮定して記述したが、本発明はこれに制限されるものではない。また、セカンダリＲＡＴシステムエンティティは、Ｗｉ−ＦｉシステムのＡＰであると仮定して記述したが、本発明はこれに制限されるものでない。
【００５８】
まず、セルラシステムがＡＰのビーコン送信と関連している情報を取得する方法を説明する。
【００５９】
（１）セルラノードは、核心ネットワーク（ＣＮ；ｃｏｒｅ  ｎｅｔｗｏｒｋ）インターフェースを利用してＡＰのビーコン送信関連情報を取得することができる。ＡＰは、自分をＡＰサーバに登録しながら、周波数チャネル、動作クラス、チャネル番号及びビーコンインターバルなどのビーコン送信と関連している情報をＡＰサーバに送信することができる。周波数チャネルは、ビーコンが送信される周波数帯域を示す。ビーコンインターバルは、ＡＰによりビーコンが送信される間隔を示す。ＡＰ情報管理エンティティであるセルラノードは、ＡＰサーバからＡＰのビーコン送信と関連している情報を取得することができる。ＡＰ情報管理エンティティであるセルラノードは、ｅＮＢ、ＭＭＥまたはＡＰ情報を取得するためのセルラシステムの新しいエンティティである。
【００６０】
ビーコン送信と関連している情報は、ビーコンインターバルの開始地点に対する情報をさらに含むことができる。ビーコンインターバルの開始地点は、Ｗｉ−Ｆｉシステムタイミング値で表現されることができる。また、ビーコン送信と関連している情報は、Ｗｉ−Ｆｉシステムタイミング値に対するセルラシステムタイミング変換値とオフセットをさらに含むことができる。セルラシステムタイミング変換値は、無線フレーム番号またはサブフレーム番号などのシステムフレーム番号またはスロット番号またはシンボル番号で表現されることができ、オフセットは、ｕｓ、ｍｓなどの単位またはスロット番号またはシンボル番号で表現されることができる。
【００６１】
そのために、ＡＰは、セルラシステムのタイミング情報を取得しなければならない。ＡＰは、一般装置がビーコンを受信した時点に対するセルラシステムタイミング変換値とオフセットを一般装置に要求して取得することができる。ＡＰは、一般装置がビーコンを受信した時点に対するセルラシステムタイミング変換値とオフセットを一般装置から取得し、ビーコンインターバルの開始地点と実際ビーコンが送信された時点との差を反映することで、一般装置から取得したセルラシステムタイミング変換値とオフセットを調節することができる。
【００６２】
図６は、本発明の一実施例に係るビーコンインターバルの開始地点を取得する方法の一例を示す。
【００６３】
図６を参照すると、一般装置は、無線フレームｍのサブフレームｎでオフセットが０．５ｍｓである時点にビーコンを受信する。したがって、一般装置は、セルラシステムタイミング変換値及びオフセットを無線フレームｍのサブフレームｎ及び０．５ｍｓに決定し、ＡＰに報告できる。一方、ビーコンインターバルの開始地点と実際ビーコンが送信された時点との差が０．１ｍｓであると仮定する。ＡＰは、０．１ｍｓの遅延を反映し、ビーコンインターバルの開始地点を無線フレームｍのサブフレームｎでオフセット０．４ｍｓである時点に決定することができる。ＡＰは、このようにセルラシステムタイミング変換値及びオフセットで表現されたビーコンインターバルの開始地点に対する情報をビーコン送信と関連している情報に含んで送信することによって、自分のビーコン送信と関連している情報をＡＰサーバに登録することができる。
【００６４】
または、ＡＰがセルラシステムのタイミング情報を取得するために、ＡＰは、ブロードキャストチャネルを介してセルラシステムのシステムフレーム番号を取得することができる。このとき、ＡＰは、セルラシステムからのダウンリンクを介してプリアンブル（ｐｒｅａｍｂｌｅ）及び／またはＭＩＢ（ｍａｓｔｅｒ  ｉｎｆｏｒｍａｔｉｏｎ  ｂｌｏｃｋ）などのブロードキャストチャネルのみを受信することができると仮定する。ＡＰは、ＭＩＢを介してセルラシステムのシステムフレーム番号を取得することができる。また、セルラシステムとＷｉ−Ｆｉシステムのタイミングが同期化されることができる。例えば、Ｗｉ−Ｆｉシステムの時間ユニットとセルラシステムのサブフレームまたはスロットの最小公倍数単位にセルラシステムとＷｉ−Ｆｉシステムのタイミングが互いに整列（ａｌｉｇｎ）されることができる。
【００６５】
図７は、本発明の他の実施例に係るビーコンインターバルの開始地点を取得する方法の一例を示す。
【００６６】
図７を参照すると、ビーコンインターバルの開始地点がセルラシステムのサブフレームの開始地点と整列される。ＡＰは、プリアンブルを介してセルラシステムと同期化し、ＭＩＢなどのブロードキャストチャネルを介してセルラシステムのシステムフレーム番号を取得し、セルラシステムとＷｉ−Ｆｉシステムのタイミングを同期化してビーコンインターバルとセルラシステムのフレームの開始地点を調節することができる。
【００６７】
以上の説明で、ＡＰサーバは、ＡＮＱＰ（ａｃｃｅｓｓ  ｎｅｔｗｏｒｋ  ｑｕｅｒｙ  ｐｒｏｔｏｃｏｌ）を利用したＧＡＳ（ｇｅｎｅｒｉｃ  ａｄｖｅｒｔｉｓｅｍｅｎｔ  ｓｅｒｖｉｃｅ）を提供する装置である。ＡＮＱＰは、ＧＡＳ共用アクションフレーム（ｐｕｂｌｉｃ  ａｃｔｉｏｎ  ｆｒａｍｅ）により伝達されるアクセスネットワーク情報回収（ｒｅｔｒｉｅｖａｌ）のためのクエリプロトコルである。ＧＡＳは、ＳＴＡが希望するネットワークサービスと関連している情報の有効性（ａｖａｉｌａｂｉｌｉｔｙ）を検索することができるようにする機能を提供する。希望するネットワークサービスと関連している情報は、ＩＢＳＳ、ローカルアクセスサービス、可能な加入サービスプロバイダ（ＳＳＰ；ｓｕｂｓｃｒｉｐｔｉｏｎ  ｓｅｒｖｉｃｅ  ｐｒｏｖｉｄｅｒ）及び／またはＳＳＰＮ（ｓｕｂｓｃｒｉｐｔｉｏｎ  ｓｅｒｖｉｃｅ  ｐｒｏｖｉｄｅｒ  ｎｅｔｗｏｒｋ）または他の外部ネットワークで提供されるようなサービスに対する情報である。ＧＡＳは、ＩＥＥＥ８０２．１１ネットワーク上にネットワークサービスの情報を広告するためのジェネリックコンテナ（ｇｅｎｅｒｉｃ  ｃｏｎｔａｉｎｅｒ）を使用することができる。共用アクションフレームがこのような情報を伝達するために使われることができる。また、ＡＰサーバは、ＷＡＧである。または、ＡＰサーバは、ＡＮＤＳＦ（ａｃｃｅｓｓ  ｎｅｔｗｏｒｋ  ｄｉｓｃｏｖｅｒｙ  ａｎｄ  ｓｅｌｅｃｔｉｏｎ  ｆｕｎｃｔｉｏｎ）を提供する装置である。
【００６８】
図８は、本発明の一実施例に係るビーコン送信関連情報を取得する方法の一例を示す。
【００６９】
図８を参照すると、ステップＳ１００において、ＡＰは、周波数チャネル、動作クラス、チャネル番号及びビーコンインターバルなどのビーコン送信と関連している情報をＡＰサーバに送信することによって、ＡＰ登録を実行する。
【００７０】
ＡＰ情報管理エンティティであるセルラノードは、自分が管理するセルまたは基地局カバレッジ内に存在するＡＰの情報をＡＰサーバを介して取得する。ＡＰ情報は、周波数チャネル、動作クラス、チャネル番号及びビーコンインターバルなどのビーコン送信と関連している情報を含み、また、ＭＡＣアドレス（例えば、ＢＳＳＩＤ）などのＡＰ識別子を含むことができる。セルラノードは、ｅＮＢ、ＭＭＥまたはＡＰ情報を取得するための新しいエンティティである。
【００７１】
セルラノードは、ＡＰサーバからＡＰ情報を直接受信し、またはゲートウェイを介して受信することができる。ステップＳ１１０において、セルラノードは、ＡＰサーバからＡＰ情報を直接受信する。ステップＳ１２０において、セルラノードは、Ｓ−ＧＷ／Ｐ−ＧＷ／Ｌ−ＧＷ（ｌｏｃａｌ  ｇａｔｅｗａｙ）などのゲートウェイを介してＡＰサーバからＡＰ情報を受信する。また、セルラノードは、ＡＰサーバにＡＰ情報に対する周期的な送信を要求することができる。
【００７２】
一方、ＡＰが自分をＡＰサーバに登録する過程で伝達した周波数チャネル、ビーコンインターバルなどの情報が変更された場合、ＡＰは、これをＡＰサーバに知らせることができる。ＡＰは、ＡＰ情報管理エンティティの別途の要求がなくても、これをＡＰサーバに知らせることができる。
【００７３】
（２）セルラノードは、ＡＰのセルラ無線インターフェースを利用してＡＰのビーコン送信関連情報を取得することができる。ＡＰは、ＭＡＣアドレス（例えば、ＢＳＳＩＤ）などのＡＰ識別子に基づいて自分をＡＰ情報管理エンティティであるセルラノードに登録しながら、周波数チャネル、動作クラス、チャネル番号及びビーコンインターバルなどのビーコン送信と関連している情報をセルラノードに送信することができる。それによって、セルラノードは、ＡＰのビーコン送信と関連している情報を直接ＡＰから取得することができる。ＡＰ情報管理エンティティであるセルラノードは、ｅＮＢ、ＭＭＥまたはＡＰ情報を取得するためのセルラシステムの新しいエンティティである。セルラノードがｅＮＢの場合、セルラノードは、セルラ無線リンクを介してＡＰからＡＰ情報を取得することができる。セルラノードがＭＭＥまたは新しいエンティティの場合、セルラノードは、セルラ無線リンクとＳ１インターフェースなどのネットワークインターフェースを介してＡＰからＡＰ情報を取得することができる。
【００７４】
ビーコン送信と関連している情報は、ビーコンインターバルの開始地点に対する情報をさらに含むことができる。ビーコンインターバルの開始地点は、Ｗｉ−Ｆｉシステムタイミング値で表現されることができる。また、ビーコン送信と関連している情報は、Ｗｉ−Ｆｉシステムタイミング値に対するセルラシステムタイミング変換値とオフセットをさらに含むことができる。セルラシステムタイミング変換値は、無線フレーム番号またはサブフレーム番号などのシステムフレーム番号またはスロット番号またはシンボル番号で表現されることができ、オフセットは、ｕｓ、ｍｓなどの単位またはスロット番号またはシンボル番号で表現されることができる。
【００７５】
図９は、本発明の他の実施例に係るビーコンインターバルの開始地点を取得する方法の一例を示す。図９を参照すると、ビーコンインターバルの開始地点がＷｉ−Ｆｉシステムタイミング値で表現され、Ｗｉ−Ｆｉシステムタイミング値は、セルラシステムタイミング変換値及びオフセットで表現される。
【００７６】
または、図７で説明したように、セルラシステムとＷｉ−Ｆｉシステムのタイミングが同期化されることができる。セルラノードとＡＰとの間のセルラ無線リンクがあると仮定するため、セルラシステムとＷｉ−Ｆｉシステムのタイミングが同期化されることができる。例えば、Ｗｉ−Ｆｉシステムの時間ユニットとセルラシステムのサブフレームまたはスロットの最小公倍数単位にセルラシステムとＷｉ−Ｆｉシステムのタイミングが互いに整列されることができる。このとき、Ｗｉ−Ｆｉシステムタイミング値及びセルラシステムタイミング変換値は、送信される必要がない。
【００７７】
図１０は、本発明の他の実施例に係るビーコンインターバルの開始地点を取得する方法の一例を示す。
【００７８】
ＡＰ情報管理エンティティであるセルラノードは、自分が管理するセルまたは基地局カバレッジ内に存在するＡＰの情報をＡＰから直接取得する。ＡＰ情報は、周波数チャネル、動作クラス、チャネル番号及びビーコンインターバルなどのビーコン送信と関連している情報を含むことができる。また、ＡＰ情報は、ＭＡＣアドレス（例えば、ＢＳＳＩＤ）などのＡＰ識別子を含むことができる。
【００７９】
セルラノードは、ｅＮＢ、ＭＭＥまたはＡＰ情報を取得するための新しいエンティティである。図１０を参照すると、ステップＳ２００において、ＡＰは、周波数チャネル、動作クラス、チャネル番号及びビーコンインターバルなどのビーコン送信と関連している情報をセルラ無線リンクを介してｅＮＢに送信し、ｅＮＢに自分を登録する。または、ステップＳ２１０において、ＡＰは、周波数チャネル、動作クラス、チャネル番号及びビーコンインターバルなどのビーコン送信と関連している情報をセルラ無線リンク及びネットワークインターフェースを介してＭＭＥまたは新しいエンティティに送信し、ＭＭＥまたは新しいエンティティに自分を登録する。
【００８０】
一方、ＡＰが自分をＡＰ情報管理エンティティであるセルラノードに登録する過程で伝達した周波数チャネル、ビーコンインターバルなどの情報が変更された場合、ＡＰはセルラノードに知らせることができる。ＡＰは、ＡＰ情報管理エンティティの別途の要求がなくても、これをセルラノードに知らせることができる。
【００８１】
（３）セルラノードは、一般装置のセルラ無線インターフェースを利用してＡＰのビーコン送信関連情報を取得することができる。ＡＰは、ビーコンまたはプローブメッセージを送信し、これを受信した一般装置は、ＭＡＣアドレス（例えば、ＢＳＳＩＤ）などのＡＰ識別子に基づいてＡＰをＡＰ情報管理エンティティであるセルラノードに登録しながら、周波数チャネル、動作クラス、チャネル番号及びビーコンインターバルなどのビーコン送信と関連している情報をセルラノードに送信することができる。それによって、セルラノードは、ＡＰのビーコン送信と関連している情報を一般装置を介して取得することができる。ＡＰ情報管理エンティティであるセルラノードは、ｅＮＢ、ＭＭＥまたはＡＰ情報を取得するための新しいエンティティである。セルラノードがｅＮＢの場合、セルラノードは、セルラ無線リンクを介して一般装置からＡＰ情報を取得することができる。セルラノードがＭＭＥまたは新しいエンティティの場合、セルラノードは、セルラ無線リンクとＳ１インターフェースなどのネットワークインターフェースを介して一般装置からＡＰ情報を取得することができる。
【００８２】
ビーコン送信と関連している情報は、ビーコンインターバルの開始地点に対する情報をさらに含むことができる。ビーコンインターバルの開始地点は、Ｗｉ−Ｆｉシステムタイミング値で表現されることができる。また、ビーコン送信と関連している情報は、Ｗｉ−Ｆｉシステムタイミング値に対するセルラシステムタイミング変換値とオフセットをさらに含むことができる。セルラシステムタイミング変換値は、無線フレーム番号またはサブフレーム番号などのシステムフレーム番号またはスロット番号またはシンボル番号で表現されることができ、オフセットは、ｕｓ、ｍｓなどの単位またはスロット番号またはシンボル番号で表現されることができる。ビーコンインターバルの開始地点を取得する方法は、図６により説明されることができる。
【００８３】
図１１は、本発明の他の実施例に係るビーコン送信関連情報を取得する方法の一例を示す。
【００８４】
ＡＰ情報管理エンティティであるセルラノードは、自分が管理するセルまたは基地局カバレッジ内に存在するＡＰの情報を一般装置から取得する。一般装置は、複数のＲＡＴをサポートするマルチＲＡＴ装置である。ＡＰ情報は、周波数チャネル、動作クラス、チャネル番号及びビーコンインターバルなどのビーコン送信と関連している情報を含むことができる。また、ＡＰ情報は、ＭＡＣアドレス（例えば、ＢＳＳＩＤ）などのＡＰ識別子を含むことができる。
【００８５】
セルラノードは、ｅＮＢ、ＭＭＥまたはＡＰ情報を取得するための新しいエンティティである。図１１を参照すると、ステップＳ３００において、マルチＲＡＴ装置は、ビーコンをＡＰから受信し、ステップＳ３０１において、マルチＲＡＴ装置は、周波数チャネル、動作クラス、チャネル番号及びビーコンインターバルなどのビーコン送信と関連している情報をセルラ無線リンクを介してｅＮＢに送信し、ｅＮＢにＡＰを登録する。または、ステップＳ３１０において、マルチＲＡＴ装置は、ビーコンをＡＰから受信し、ステップＳ３１１において、マルチＲＡＴ装置は、周波数チャネル、動作クラス、チャネル番号及びビーコンインターバルなどのビーコン送信と関連している情報をセルラ無線リンク及びネットワークインターフェースを介してＭＭＥまたは新しいエンティティに送信し、ＭＭＥまたは新しいエンティティにＡＰを登録する。
【００８６】
一方、一般装置がセルラノードにＡＰを登録する過程で伝達したＡＰの周波数チャネル、ビーコンインターバルなどの情報が変更された場合、一般装置は、これをセルラノードに知らせることができる。一般装置は、ＡＰ情報管理エンティティの別途の要求がなくても、これをセルラノードに知らせることができる。
【００８７】
以下、取得したビーコン送信と関連している情報を一般装置に送信する方法を説明する。
【００８８】
ＡＰ情報管理エンティティであるセルラノードは、ＡＰ情報をセルラネットワークを介して送信する。セルラノードは、ｅＮＢ、ＭＭＥまたはＡＰ情報を取得するための新しいエンティティである。ＡＰ情報は、周波数チャネル、動作クラス、チャネル番号、ビーコンインターバル及びビーコンインターバルの開始地点などの各ＡＰのビーコン送信と関連している情報を含むことができる。また、ＡＰ情報は、ＭＡＣアドレス（例えば、ＢＳＳＩＤ）などのＡＰ識別子を含むことができる。
【００８９】
ＡＰ情報管理エンティティであるセルラノードは、該当一般装置に隣接したＡＰのＡＰ情報のみを送信することができる。また、送信される情報のうち、ビーコンインターバルの開始地点は、該当一般装置がビーコンを受信することができる最も近い未来値として設定されることができる。例えば、ビーコンインターバルの長さが１．０２４＊１０００ｍｓであり、ビーコンインターバルの開始地点が無線フレームｍのサブフレームｎでオフセット０．４ｍｓである時点であり、現在システムフレーム番号が無線フレーム（ｍ＋９１）である場合、一般装置に送信されるビーコンインターバルの開始地点は、無線フレーム（ｍ＋１０２）のサブフレーム（ｎ＋４）でオフセット０．４ｍｓである時点に決定されることができる。
【００９０】
図１２は、本発明の一実施例に係るビーコン送信関連情報を送信する方法の一例を示す。ステップＳ４００において、ｅＮＢ、ＭＭＥまたは新しいエンティティのうちいずれか一つであるセルラノードは、ＡＰ情報またはＷｉ−Ｆｉスキャニング要求をマルチＲＡＴ装置に送信する。ＡＰ情報またはＷｉ−Ｆｉスキャニング要求は、周波数チャネル、動作クラス、チャネル番号及びビーコンインターバルなどの各ＡＰのビーコン送信と関連している情報を含むことができ、また、ＭＡＣアドレス（例えば、ＢＳＳＩＤ）などのＡＰ識別子を含むことができる。
【００９１】
ビーコン送信と関連している情報を受信した一般装置は、該当情報を利用してＷｉ−Ｆｉアクセスを最適化することができる。より具体的に、スキャニング及びＷｉ−Ｆｉシステム情報を取得する時間が減少できる。一般装置は、Ｗｉ−Ｆｉアクセスのために、まず、スキャニングを実行してシステム情報を取得しなければならず、既存にはＷｉ−Ｆｉシステム情報が含まれているビーコンがどの時点で送信されるかを知ることができなかったため、一般装置は、ビーコンを受信する時まで引き続いてモニタリングを実行しなければならない。
【００９２】
図１３は、既存の方法によって一般装置がスキャニングを実行する時のスキャニング区間を示す。図１３を参照すると、ＡＰ１は、ビーコンインターバルが比較的早く始まるため、一般装置は、ＡＰ１が送信するビーコンを受信するまで比較的短くスキャニングを実行することができる。しかし、ＡＰ２とＡＰ３は、ビーコンインターバルが遅く始まるため、一般装置は、ＡＰ２とＡＰ３が送信するビーコンを受信するまで長い間周波数チャネルに対してスキャニングを実行しなければならない。即ち、一般装置は、どのＡＰがどの時点にビーコンを送信するかを知ることができないため、最小一回ビーコンを受信する前までは引き続いて周波数チャネルに対してスキャニングを実行しなければならない。
【００９３】
図１４は、本発明の一実施例によって一般装置がスキャニングを実行する時のスキャニング区間を示す。図１４を参照すると、各ＡＰのビーコンインターバルの開始地点が全て異なり、各ＡＰのビーコンインターバルの開始地点は、各々、セルラシステムのシステムフレーム番号及びオフセットで表現されることができる。本発明の一実施例によって、一般装置がＡＰ情報管理エンティティであるセルラノードからビーコン送信と関連している情報を取得する場合、一般装置は、各ＡＰがどの時点でビーコンを送信するかを知ることができる。それによって、一般装置が各ＡＰから送信されるビーコンを受信するためにスキャニングを実行するスキャニング区間は、各々異なるように設定されることができる。一般装置は、各ＡＰのビーコンインターバルの開始地点によって、最適のＡＰスキャニング順序を決定することができる。一般装置は、各ＡＰがビーコンを送信する時点に合わせてスキャニングを実行することができ、したがって、一般装置のスキャニング及びＷｉ−Ｆｉシステム情報を取得する時間が減少できる。
【００９４】
図１５は、本発明の実施例が具現される無線通信システムのブロック図である。
【００９５】
セルラノード８００は、プロセッサ（ｐｒｏｃｅｓｓｏｒ）８１０、メモリ（ｍｅｍｏｒｙ）８２０及びＲＦ部（ｒａｄｉｏ  ｆｒｅｑｕｅｎｃｙ  ｕｎｉｔ）８３０を含む。プロセッサ８１０は、提案された機能、過程及び／または方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／または受信する。
【００９６】
Ｗｉ−Ｆｉエンティティまたは一般装置９００は、プロセッサ９１０、メモリ９２０及びＲＦ部９３０を含む。プロセッサ９１０は、提案された機能、過程及び／または方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び／または受信する。
【００９７】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メリ８２０、９２０に格納され、プロセッサ８１０、９１０により実行されることができる。メモリ８２０、９２０は、プロセッサ８１０、９１０の内部または外部にあり、よく知られた多様な手段によりプロセッサ８１０、９１０と連結されることができる。
【００９８】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006400024.tif 000002
【図２】
0006400024.tif 000003
【図３】
0006400024.tif 000004
【図４】
0006400024.tif 000005
【図５】
0006400024.tif 000006
【図６】
0006400024.tif 000007
【図７】
0006400024.tif 000008
【図８】
0006400024.tif 000009
【図９】
0006400024.tif 000010
【図１０】
0006400024.tif 000011
【図１１】
0006400024.tif 000012
【図１２】
0006400024.tif 000013
【図１３】
0006400024.tif 000014
【図１４】
0006400024.tif 000015
【図１５】
0006400024.tif 000016